(57)【要約】【課題】  マットの表面に二段突起を設け、各々の突起でそれぞれ筋肉の引き延ばしを行うことで、筋肉の引き延ばし効果を一層高め、より高いリラックス感を得る。【解決手段】  基材の表面に、弾性材からなる椀形をした突起を所定の間隔をあけて設けるとともに、各突起の表面に、中心に近いものほど背の高い複数の円柱状をした小突起を設けたことを特徴とする横臥用マット。【選択図】  図１
2005021557.tif 000002
【特許請求の範囲】
【請求項１】
基材の表面に、弾性材からなる椀形をした突起を所定の間隔をあけて設けるとともに、各突起の表面に、中心に近いものほど背の高い複数の円柱状をした小突起を設けたことを特徴とする横臥用マット。
【請求項２】
突起と小突起が同一材料で構成され、各々が一体成形される請求項１の横臥用マット。
【請求項３】
突起の間隔が、足の踵や頭の一部が落ち込む程度に設定されている請求項１又は２の横臥用マット。
【請求項４】
小突起が、突起の中心に一つ設けられ、その周囲に他の小突起が衛星状に配置される請求項１〜３いずれかの横臥用マット。
【請求項５】
小突起の頂面に、少なくとも平坦部が設けられている請求項１〜４いずれかの横臥用マット。
【請求項６】
基材が、芯材の両面に設けられ、突起が両方の基材の表面に設けられる請求項１〜５いずれかの横臥用マット。
【発明の詳細な説明】
【技術分野】
【０００１】
本発明は、就寝するときやマッサージを受けたりするときに用いられる横臥用マットに関するものである。
【背景技術】
【０００２】
従来から、表面に突起が付いたようなマットは数多く見かけられる。突起による指圧効果を狙ったもので、それ相応の効果はある。ところで、ぶら下がり健康法でも実証されているように、人間の身体は、その筋肉を牽引して延ばすことで、コリがほぐれ、リラックスした感じになる。そこで、就寝用等に用いる横臥用マットにこの機能を発揮させることができるとすれば、一石二鳥の効果がある。その一つが突起の上に突起を付ける、則ち、親突起の上に子突起を付ける、所謂、二段突起である。二段突起については、下記の特許文献１にその開示が見られる。
【０００３】
しかし、この先行例のものは、単に指圧効果を増強するのみで、それ以上の効果を派生させるものではない。具体的には、子突起がはっきりと突出しているものではないため、体重がかかったときの原形復帰力による筋肉の引き延ばし効果が見られないし、また、親突起である亀甲状突起の間隔は非常に狭いため、これに踵等が引っ掛かっての引き延ばし効果を発揮させることもできない。
【特許文献１】実用新案登録第３０４７６９５号
【発明の開示】
【発明が解決しようとする課題】
【０００４】
本発明は、所謂、二段突起を設けたものについて、それぞれの突起に筋肉の引き延ばし機能を発揮させることができないかを検討したものであり、それぞれの突起の形状や配置を考慮することで、これが具現できることを見出したものである。
【課題を解決するための手段】
【０００５】
本発明は、請求項１に記載の、基材の表面に、弾性材からなる椀形をした突起を所定の間隔をあけて設けるとともに、各突起の表面に、中心に近いものほど背の高い複数の円柱状をした小突起を設けたことを特徴とする横臥用マットを基本構成としたものである。
【発明の効果】
【０００６】
本発明は、要するに、ある程度の間隔をあけて設けられる突起と、その表面にはっきりと突出している小突起を設けたものであるから、突起の間に踵等を引っ掛けると、引き延ばしの際の抵抗となり、身体の意識又は無意識の延び動作によって筋肉を引き延ばすことができる。また、小突起が体重によって押し潰される際、中心の小突起が一番潰れるから、このとき、周囲の突起が中心側に引っ張られ、これが元に戻ろうとする原形復帰力がその上にある筋肉を外側に引っ張ろうとする。これらのことから、マットの上に横臥しているだけで、筋肉が延ばされ、すっきりとしたリラックス感が得られる。
【発明を実施するための最良の形態】
【０００７】
図１は本発明の一例を示す横臥用マットの斜視図、図２は拡大斜視図、図３は一部断面図であるが、この横臥用マット（以下、マットという）は、基材１の表面に椀形をした突起２を形成したものであるが、このとき、突起の２の表面には、更に、複数の小突起３が形成されたものである。この場合、基材１の素材は、成形性や価格を考慮してポリエチレンやポリウレタンが適するが、更に、重量軽減や弾力性強化のために発泡させたものが適する。そして、基材１の表面に突起２を形成するのであるが、この突起２は基材１と同素材による一体形成をすればよい。
【０００８】
この突起２の形状は、半球形の椀形をしていることが条件であるが、この上に身体を横臥したとき、少なくとも、複数の突起２が身体の下に来るようにその大きさは５０〜１５０ｍｍ程度が適する。そして、各突起２間は、後述するように踵や頭部（の一部）が落ち込む程度の隙間があることが条件であり、具体的には、２０〜１００ｍｍ程度が適し、その高さもこれと同じ程度が適する。
【０００９】
突起２の表面に複数設けられる小突起３は、円柱状をしていることが条件である。則ち、はっきりと突出しているものである。そして、各々の小突起３の背の高さは異なり、中心のものほど高く設定されている。本例では、小突起３は、中心に１個、その周囲に６個が衛星状に配されて合計７個設けられているが、これは一例であって、これに限定されるものではない。
【００１０】
以上により、小突起３を側方から見たその包絡面は、突起２と同様に円形をしていることになる（そのアールは突起２のアールと等しいかやや大きく設定されている）。なお、各小突起３の頂面の角はアールに形成されており、かつ、その中心部には、少なくとも平坦部３ａが形成されている。したがって、周囲側の小突起３の平坦部３ａは、中心側が高い傾斜に形成されていることになる。この場合の小突起３の大きさ（径）は、７個が間隔をあけて設けられるのであるから、突起２の径に対応させたものにしてある。また、高さは、突起２の大きさにもよるが、一般的には、中心のものが少なくとも１０ｍｍ程度は確保されているのが好ましい。
【００１１】
基材１に以上の突起２、小突起３を形成するには、プレス成形による一体成形をすれば容易に製作できる。この場合、マットの大きさに対応する一枚物を製作する必要はなく、適当な大きさのものを製作しておき（本例では１／３の大きさにしてある）、これを継ぎ足して（接着して）一枚のマットにすればよい。なお、基材１と突起２だけでは、マットとしての厚みが薄いものであれば、これに芯材４を継ぎ足しておけばよい（接着する）。また、芯材４の裏面にも、表面側と同様に突起２、小突起３を形成したものを設けておけば、どちらも使用できる両面性のものにできる。
【００１２】
次に、以上のマットの使用方法について説明する。図４〜図６はこのマットの上に人間が寝た状態を示す説明図であるが、突起２間には適当な隙間があるのであるから、頭（一部）にしても、踵にしても、この隙間に落ち込む。そして、人間は就寝中、意識又は無意識に身体を上下に動かすから、このとき、頭や踵（特に踵）が突起２に引っ掛かかると、身体を延ばそうとするには抵抗が生じる。この抵抗は、身体を延ばす力に変換され、筋肉が延ばされる。筋肉が延ばされるということは、コリがほぐされ、リラックス感が生じることになる。
【００１３】
一方、小突起３にも体重がかかるから、これが押し潰される。このとき、突起２の中心の小突起３が一番背が高いから、これが一番押し潰され、周囲の小突起３は、潰れると同時に中心側に引っ張られる。すると、小突起３には元の形状に戻ろうとする原形復帰力が発生し、この上に載っている身体の筋肉を外側に向けて引っ張る、則ち、延ばす力が働き、筋肉は延ばされる。なお、この原形復帰力による筋肉の引き延ばしは、突起２の中心から外周方向に放射状に発生し、これは各小突起３ごとに発生する。従って、身体のあちこちで筋肉の引き延ばしが行われ、コリのほぐしは非常に強いものになる。
【図面の簡単な説明】
【００１４】
【図１】横臥用マットの斜視図である。
【図２】横臥用マットの一部拡大斜視図である。
【図３】横臥用マットの断面図である。
【図４】横臥用マットの使用状態を示す一部側面図である。
【図５】横臥用マットの使用状態を示す一部側面図である。
【図６】横臥用マットの使用状態を示す一部断面図である。
【符号の説明】
【００１５】
１      基材
２      突起
３      小突起
３ａ      〃  の平坦部
４      芯材
【図３】
2005021557.tif 000003
【図４】
2005021557.tif 000004
【図５】
2005021557.tif 000005
【図６】
2005021557.tif 000006
【図１】
2005021557.tif 000007
【図２】
2005021557.tif 000008